(57)【要約】  整流部（１０６０）のインピーダンスは可変である。また、電力測定部（１０８０）の測定点Ｐは、受電部（１０２０）と整流部（１０６０）の間にある。受電部（１０２０）は、電力送電装置（２０００）から無線で送電される交流電力ＡＣを受電し、整合部（１０４０）へ出力する。整合部（１０４０）は、受電部（１０２０）の出力インピーダンスと整流部（１０６０）の入力インピーダンスを整合する。整流部（１０６０）は、整合部（１０４０）から交流電力ＡＣを受け取って直流電力に変換する。電力測定部（１０８０）は、測定点Ｐで交流電力ＡＣの電力値Ｗを測定する。制御部（１１００）は、電力値Ｗに基づいて整流部（１０６０）に印加する電圧の値を変更することで、整流部（１０６０）のインピーダンスを制御する。
2013160978.tif 000002
【特許請求の範囲】
【請求項１】
無線で送電される交流電力を受電する受電手段と、受電した前記交流電力を直流電力に変換する整流手段と、前記受電手段の出力と前記整流手段の入力を整合する整合手段と、前記整流手段を制御する制御手段と、電力を測定する電力測定手段を備え、
前記整流手段は、インピーダンスが可変であり、
前記制御手段は、前記電力測定手段で測定した電力Ｗの値に基づき、前記整流手段のインピーダンスを制御し、
前記電力測定手段の測定点は、前記受電手段と前記整流手段の間であること、
を特徴とする電力受電装置。
【請求項２】
前記整流手段に設定するインピーダンスが全て同一極性であることを特徴とする請求項１記載の電力受電装置。
【請求項３】
前記整流手段は、三端子デバイスを備え、
前記制御手段は、前記電力Ｗの値に基づき、前記三端子デバイスの第１の端子に印加する電圧Ｖを制御し、
前記整流手段のインピーダンスは、前記電圧Ｖの大きさによって切り替わることを特徴とする請求項１又は２に記載の電力受電装置。
【請求項４】
前記制御手段は、前記電力Ｗの値が大きくなるに従い、前記電圧Ｖを大きくすることを特徴とする請求項３記載の電力受電装置。
【請求項５】
前記整合手段と前記三端子デバイスの反射係数が0.3以下であることを特徴とする請求項３又は４に記載の電力受電装置。
【請求項６】
無線で交流電力を送電する電力送電装置と、無線で送電される前記交流電力を受電する電力受電装置を備える電力伝送システムであって、
前記電力受電装置は、
無線で送電される前記交流電力を受電する受電手段と、受電した前記交流電力を直流電力に変換する整流手段と、前記受電手段の出力と前記整流手段の入力を整合する整合手段と、前記整流手段を制御する制御手段と、電力を測定する電力測定手段を備え、
前記整流手段のインピーダンスは可変であり、
前記制御手段が前記電力測定手段で測定した電力の値に基づき、前記整流手段のインピーダンスを制御し、
前記電力測定手段の測定点が前記受電手段と前記整流手段の間にある電力受電装置である、
ことを特徴とする電力伝送システム。
【請求項７】
コンピュータを電力受電装置の制御装置として機能させるためのプログラムであって、
前記電力受電装置は、無線で送電される交流電力を受電する受電手段と、受電した前記交流電力を直流電力に変換する整流手段と、前記受電手段の出力と前記整流手段の入力を整合する整合手段と、前記整流手段を制御する制御手段と、電力を測定する電力測定手段を備え、前記整流手段のインピーダンスが可変であり、前記電力測定手段の測定点が前記受電手段と前記整流手段の間にある電力受電装置であり、
前記コンピュータに、
前記電力測定手段で測定した電力Ｗの値を読み出す機能と、
前記電力Ｗの値に基づいて前記整流手段に設定するインピーダンスを決定する機能と、
を持たせるプログラム。
【請求項８】
無線で送電される交流電力を受電する電力受電装置における電力受電方法であって、
前記電力受電装置は、無線で送電される交流電力を受電する受電手段と、受電した前記交流電力を直流電力に変換する整流手段と、前記受電手段の出力と前記整流手段の入力を整合する整合手段と、前記整流手段を制御する制御手段と、電力を測定する電力測定手段を備え、前記整流手段のインピーダンスが可変であり、前記電力測定手段の測定点が前記受電手段と前記整流手段の間にある電力受電装置であり、
前記電力受電方法は、
前記受電手段が交流電力を受電するステップと、
前記電力測定手段が電力を測定するステップと、
前記制御手段が前記電力測定手段で測定した電力Ｗの値を読み出すステップと、
前記制御手段が前記電力Ｗの値に基づいて前記整流手段に設定するインピーダンスを決定するステップと、
を有する電力受電方法。
【発明の詳細な説明】
【技術分野】
【０００１】
本発明は、電力受電装置、電力伝送システム、プログラム、及び電力受電方法に関する。
【背景技術】
【０００２】
無線で提供される交流電力を受電して直流電力に変換する電力受電装置（以下、無線電力受電装置）が開発されている。無線電力受電装置では、受電する電力の値が変化する場合がある。例えば、無線電力を送電する電力送電装置（以下、無線電力送電装置）が可動式の場合に、無線電力送電装置と無線電力受電装置間の距離が変化するといったことが要因となる。そのため、無線電力受電装置は、入力電力値の変化に追従できることが望ましい。【０００３】
無線電力受電装置において受電した交流電力を直流電力に変換する際の変換効率は、電力変換を行う整流装置に入力される電力の値に依存する。そのため、無線電力受電装置が入力電力値の変化に追従するためには、上に述べた整流装置における電力変換効率の低下が問題となる。そこで、整流装置において、入力電力値が変化する場合でも高い電力変換効率を得ることが課題となっている。  【０００４】
上記の課題に対し、例えば特許文献１に記載の技術がある。これは、無線電力受電装置内に複数のアンテナと複数の整流装置を設け、整流装置と負荷の間で測定した電流値に基づいてアンテナと整流装置の接続状態を切り替える技術である。【０００５】
また別の例として、特許文献２に記載の技術がある。これは、無線電力受電装置において、整流装置と負荷の間で測定した電流値に基づき、受電した電力と整流装置が入力する電力を整合する整合回路におけるインピーダンスを切り替える技術である。【０００６】
さらに別の例として、特許文献３に記載の技術がある。これは、無線電力受電装置内に複数の整流装置を有し、受電した電力の値に基づいて電力変換に用いる整流装置の数を変更する技術である。
【先行技術文献】
【特許文献】
【０００７】
【特許文献１】特開２０１１−１１４９４９号公報
【特許文献２】特開２０１１−４５１６１号公報
【特許文献３】特許第３３８５４７２号公報
【発明の概要】
【発明が解決しようとする課題】
【０００８】
無線電力受電装置には、コスト減少とサイズ縮小が求められている。例えば特許文献１記載の技術を利用すると、無線電力受電装置のコストが増加し、かつサイズが増大する。これは、アンテナと整流装置を複数用いる必要があるためである。また、特許文献３記載の技術を利用した場合も、コスト増加とサイズ増大という問題が生じる。これは、複数の整流装置が必要なこと、及び受電した電力を複数の整流装置へ分配する分配回路が必要なことが要因である。【０００９】
さらに無線電力受電装置には、短時間で入力電力値が大きく変化する場合にも、その変化に追従することが求められている。例えば特許文献１記載の技術や特許文献２記載の技術を利用すると、短時間で入力電力値が大きく変化する場合に、その変化に追従することが難しい。これは、整流装置が電力変換を行った後に電力値を測定しているためである。【００１０】
このように上記２つの課題があるものの、上記先行技術文献に記載の技術では、これら２つ課題の両方を解決することが難しい。【００１１】
本発明の目的は、小型かつ低コストであり、かつ入力電力の値が短時間で大きく変化する場合でも高い電力変換効率が得られる電力受電装置、電力伝送システム、プログラム、及び電力受電方法を提供することにある。
【課題を解決するための手段】
【００１２】
本発明が提供する電力受電装置は、無線で送電される交流電力を受電する受電手段、受電した交流電力を直流電力に変換する整流手段、前記受電手段の出力と前記整流手段の入力を整合する整合手段、前記整流手段を制御する制御手段、及び電力を測定する電力測定手段を備え、前記整流手段はインピーダンスが可変であり、前記制御手段は前記電力測定手段で測定した電力Ｗの値に基づいて前記整流手段のインピーダンスを制御し、前記電力測定手段の測定点は前記受電手段と前記整流手段の間である電力受電装置である。【００１３】
本発明が提供する電力電送システムは、無線で交流電力を送電する電力送電装置と、無線で送電される前記交流電力を受電する電力受電装置を備える電力伝送システムであって、前記電力受電装置は、無線で送電される前記交流電力を受電する受電手段と、受電した前記交流電力を直流電力に変換する整流手段と、前記受電手段の出力と前記整流手段の入力を整合する整合手段と、前記整流手段を制御する制御手段と、電力を測定する電力測定手段を備え、前記整流手段のインピーダンスは可変であり、前記制御手段が前記電力測定手段で測定した電力Ｗの値に基づき、前記整流手段のインピーダンスを制御し、前記電力測定手段の測定点が前記受電手段と前記整流手段の間にある電力受電装置である電力伝送システムである。【００１４】
本発明が提供するプログラムは、コンピュータを電力受電装置の制御装置として機能させるためのプログラムであって、前記電力受電装置は、無線で送電される交流電力を受電する受電手段、受電した前記交流電力を直流電力に変換する整流手段、前記受電手段の出力と前記整流手段の入力を整合する整合手段、前記整流手段を制御する制御手段、及び電力を測定する電力測定手段を備え、前記整流手段のインピーダンスが可変であり、前記電力測定手段の測定点が前記受電手段と前記整流手段の間にある電力受電装置であり、前記コンピュータに、前記電力測定手段で測定した電力Ｗの値を読み出す機能と、前記電力Ｗの値に基づいて前記整流手段に設定するインピーダンスを決定する機能を持たせるプログラムである。【００１５】
本発明が提供する電力受電方法は、無線で送電される交流電力を受電する電力受電装置における電力受電方法であって、前記電力受電装置は、無線で送電される交流電力を受電する受電手段、受電した前記交流電力を直流電力に変換する整流手段、前記受電手段の出力と前記整流手段の入力を整合する整合手段、前記整流手段を制御する制御手段、及び電力を測定する電力測定手段を備え、前記整流手段のインピーダンスが可変であり、前記電力測定手段の測定点が前記受電手段と前記整流手段の間にある電力受電装置であり、前記受電手段が交流電力を受電するステップと、前記電力測定手段が電力を測定するステップと、前記制御手段が前記電力測定手段で測定した電力Ｗの値を読み出すステップと、前記制御手段が前記電力Ｗの値に基づいて前記整流手段に設定するインピーダンスを決定するステップを有する電力受電方法である。
【発明の効果】
【００１６】
本発明によれば、電力受電装置の小型化、低コスト化を実現でき、かつ短時間で入力電力値が大きく変化した場合にもその変化に追従することができる。
【図面の簡単な説明】
【００１７】
上述した目的、およびその他の目的、特徴および利点は、以下に述べる好適な実施の形態、およびそれに付随する以下の図面によってさらに明らかになる。【００１８】
【図１】実施形態１にかかる電力伝送システムの構成を表すブロック図である。
【図２】制御部の内部構成を表すブロック図である。
【図３】電力測定部の内部構成を表すブロック図である。
【図４】整流部の内部構成を表すブロック図である。
【図５】整合部・整流部間の反射係数と電力変換効率の関係を表すグラフである。
【図６】実施形態２にかかる電力電送システムの構成を表すブロック図である。
【図７】制御装置が保持するプログラムの動作を表すフローチャートである。
【図８】実施形態３にかかる電力伝送システムの構成を表すブロック図である。
【発明を実施するための形態】
【００１９】
以下、本発明の実施の形態について、図面を用いて説明する。尚、すべての図面において、同様な構成要素には同様の符号を付し、適宜説明を省略する。
【００２０】
なお、以下に示す説明において、各装置の各構成要素は、ハードウエア単位の構成ではなく、機能単位のブロックを示している。各装置の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００２１】
[実施形態１]
図１は、実施形態１に係る電力伝送システムの構成を表している。実施形態１に係る電力伝送システムは、電力受電装置１０００、電力送電装置２０００及び負荷４０００を有する。負荷４０００の一例としては、充電式のバッテリがある。電力受電装置１０００は、電力送電装置２０００が無線で送電する交流電力ＡＣを受電して直流電力ＤＣに変換し、負荷４０００へ出力する。電力受電装置１０００は、受電部１０２０、整合部１０４０、整流部１０６０、電力測定部１０８０及び制御部１１００を備えている。受電部１０２０は、電力送電装置２０００から無線で送電される交流電力ＡＣを受電し、整合部１０４０へ出力する。整合部１０４０は、受電部１０２０の出力インピーダンスと整流部１０６０の入力インピーダンスを整合する。整流部１０６０は、整合部１０４０から交流電力ＡＣを受け取って直流電力ＤＣに変換した後、負荷４０００へ直流電力ＤＣを出力する。負荷４０００は、整流部１０６０から受け取った直流電力ＤＣで動作する。電力測定部１０８０は、交流電力ＡＣの電力Ｗの値を測定する。制御部１１００は、電力Ｗの値に基づいて整流部１０６０に印加する電圧の値を変更することで、整流部１０６０のインピーダンスを制御する。
【００２２】
電力測定部１０８０の測定点Ｐは、受電部１０２０と整流部１０６０の間にある。測定点Ｐは、受電部１０２０と整合部１０４０の間、又は整合部１０４０と整流部１０６０の間のどちらにあってもよい。図１では一例として、受電部１０２０と整合部１０４０の間に測定点Ｐを設けている。
【００２３】
図２は、制御部１１００の内部構成の一例を表している。制御部１１００は、インピーダンス決定回路１１０１及びデータＲＯＭ１１０２を備える。
【００２４】
図２の構成における制御部１１００は、電力測定部１０８０が測定した電力Ｗの値が大きくなるに従って整流部１０６０に印加する電圧の値Ｖを大きくすることで、整流部１０６０のインピーダンスを制御する。具体的な動作の一例は次のようになる。まず、データＲＯＭ１１０２は予め、電力Ｗの値に関する閾値としてＷ１、整流部１０６０に印加する電圧値としてＶＬ及びＶＨを保持しておく。インピーダンス決定回路１１０１は、電力測定部１０８０が測定した電力Ｗの値を読み込む。次に、インピーダンス決定回路１１０１は、電力Ｗの値と閾値Ｗ１を比較し、整流部１０６０に印加する電圧Ｖを決定する。具体的には電圧Ｖの値を、電力Ｗの値≦Ｗ１の場合はＶＬ、電力Ｗの値＞Ｗ１の場合はＶＨとする。そして、上記で決定した大きさの電圧Ｖを整流部１０６０に印加することで、整流部１０６０のインピーダンスを変更する。
【００２５】
図３は、電力測定部１０８０の内部構成の一例を表している。電力測定部１０８０は、電力測定回路１０８１及び電力値保存ＲＡＭ１０８２を備える。
【００２６】
図３の構成における電力測定部１０８０が交流電力ＡＣの電力Ｗの値を測定する具体的な動作は、次のようになる。まず電力測定回路１０８１が、測定点Ｐにおける電力を測定し、電力Ｗの値を得る。そして電力測定回路１０８１は、電力Ｗの値を電力値保存ＲＡＭ１０８２に保存する。この場合制御部１１００は、電力値保存ＲＡＭ１０８２から電力Ｗの値を読み出すことで、電力Ｗの値を得る。
【００２７】
図４は、整流部１０６０の内部構成の一例を表している。整流部１０６０は、三端子デバイス１０６１、電力反射素子１０６２及び容量１０６３を有する。三端子デバイス１０６１はゲート端子である端子Ｇ、ソース端子である端子Ｓ及びドレイン端子である端子Ｄを備える。
【００２８】
図４の構成における整流部１０６０のインピーダンスは、三端子デバイス１０６１の端子Ｇに印加する電圧Ｖの大きさによって決まる。この場合制御部１１００は、三端子デバイス１０６１の端子Ｇに印加する電圧Ｖを変更することで、整流部１０６０のインピーダンスを変更する。
【００２９】
整合部１０４０と三端子デバイス１０６１間の反射係数は、0.3以下であることが好ましい。これは、反射係数が大きくなると整合部１０４０から整流部１０６０へ出力される電力が減少し、その結果図５で示すように電力変換効率が低下してしまうためである。
【００３０】
交流電力を整流する際に同じ極性で整流作用を得るために、整流部１０６０に設定するインピーダンスは、全て同一極性であることが望ましい。インピーダンスを変更した際に整流作用が得られる極性が変化してしまうと、整合部１０４０と整流部１０６０の間の反射係数が大きくなり、整流部１０６０に入力される電力が小さくなってしまうためである。
【００３１】
このように本実施形態によれば、整流部１０６０や受電部１０２０を複数有する必要がないため、電力受電装置１０００の小型化及び低コスト化が可能となる。さらに、測定点Ｐが受電部１０２０と整流部１０６０の間にあり、受電した交流電力の電力Ｗの値を早期に測定することができるため、受電する電力の値が短時間に大きく変動した場合にも追従することが可能となる。
【００３２】
[実施形態２]
図６は、実施形態２に係る電力伝送システムの構成を表している。実施形態２は、電力送電装置２０００、電力受電装置１０００、負荷４０００を有する。実施形態２における制御部１１００は、データＲＯＭ１１０２、ＣＰＵ１１０３及びプログラムＲＯＭ１１０４を有する。プログラムＲＯＭ１１０４は、図７記載のフローを実現するためのプログラムを記録している。制御部１１００は、電力測定部１０８０が測定した電力Ｗの値を読み込み、その値に基づいて整流部１０６０のインピーダンスを変更する。図６において、図１と同符号が割り当てられている機能ブロックは、実施形態１における機能ブロックと同じ機能を有する。
【００３３】
制御部１１００はプログラムＲＯＭ１１０４が記録しているプログラムを実行することで、整流部１０６０のインピーダンスを制御する。具体的にはまず、ＣＰＵ１１０３がプログラムＲＯＭ１１０４から、ステップＳ１０２を実現するプログラムを読み出して実行することで、電力測定部１０８０が測定した電力Ｗの値を読み込む。そして、ＣＰＵ１１０３がプログラムＲＯＭ１１０４から、ステップＳ１０４を実現するプログラムを読み出して実行することで、電力Ｗの値から整流部１０６０に設定するインピーダンスを決定する。整流部１０６０のインピーダンスを決定する具体的な方法は、一例として次のようになる。まず、データＲＯＭ１１０２は予め、電力Ｗの値に関する閾値のリスト（以下、閾値リスト）Ｗ1、Ｗ2、・・・Ｗnと、整流部１０６０に印加する電圧値のリスト（以下、電圧値リスト）Ｖ1、Ｖ2、・・・Ｖn+1を保持しておく。ここで、ｎは１以上の整数であり、Wn+1＞WnかつVn+1＞Vnとする。ＣＰＵ１１０３は、電力測定部１０８０が測定した電力Ｗの値を読み込む。次に、ＣＰＵ１１０３は、電力Ｗの値に基づいてデータＲＯＭ１１０２が保持する閾値リストと電圧値リストを参照することで、整流部１０６０に印加する電圧Ｖを決定する。具体的には電圧Ｖの値を、電力Ｗの値＜Ｗ１の場合はＶ1、Ｗm-1≦電力Ｗの値＜Ｗm（2≦ｍ≦ｎ）の場合はＶm、電力Ｗの値≧Ｗnの場合はＶn+1とする。そして、上記で決定した大きさの電圧Ｖを整流部１０６０に印加することで、整流部１０６０のインピーダンスを変更する。
【００３４】
本実施形態によれば、実施形態１と同様の理由から、電力受電装置１０００の小型化及び低コスト化を実現でき、なおかつ受電する電力の大きさが短時間で大きく変化した場合にも追従できる。さらに、プログラムを利用して整流部１０６０のインピーダンスを決定するため、より柔軟にインピーダンスの値を決定することができる。
【００３５】
[実施形態３]
図８は、実施形態３に係る電力伝送システムの構成を表している。実施形態３は、電力送電装置２０００、電力受電装置１０００、制御装置５０００を有する。制御装置５０００は、電力測定部１０８０が測定した電力Ｗの値を読み込み、読み込んだ電力Ｗの値に基づいて整流部１０６０のインピーダンスを変更する。図８において、図１又は図２と同符号が割り当てられている機能ブロックは、実施形態１又は実施形態２における機能ブロックと同じ機能を有する。
【００３６】
制御装置５０００は一例として、制御部１１００を有する（図示せず）。制御部１１００は、実施形態１又は実施形態２に記載した制御部１１００と同様の動作をすることで、整流部１０６０のインピーダンスを制御する。
【００３７】
本実施形態によれば、実施形態１と同様の理由から、電力受電装置１０００の小型化及び低コスト化を実現でき、なおかつ受電する電力の大きさが短時間で大きく変化した場合にも追従できる。そして、インピーダンス制御を行う制御装置５０００を電力受電装置１０００の外部に有するため、電力受電装置１０００をさらに小型化することが可能となる。
【００３８】
以上、図面を参照して本発明の実施形態について述べたが、これらは本発明の例示であり、上記以外の様々な構成を採用することもできる。
【００３９】
この出願は、２０１２年４月２３日に出願された日本出願特願２０１２−０９７３６５号を基礎とする優先権を主張し、その開示の全てをここに取り込む。
【００４０】
（付記１）
無線で送電される交流電力を受電する受電手段と、受電した前記交流電力を直流電力に変換する整流手段と、前記受電手段の出力と前記整流手段の入力を整合する整合手段と、前記整流手段を制御する制御手段と、電力を測定する電力測定手段を備え、
前記整流手段は、インピーダンスが可変であり、
前記制御手段は、前記電力測定手段で測定した電力Ｗの値に基づき、前記整流手段のインピーダンスを制御し、
前記電力測定手段の測定点は、前記受電手段と前記整流手段の間であることを特徴とする電力受電装置。
（付記２）
前記整流手段に設定するインピーダンスが全て同一極性であることを特徴とする付記１記載の電力受電装置。
（付記３）
前記整流手段は、三端子デバイスを備え、
前記制御手段は、前記電力Ｗの値に基づき、前記三端子デバイスの第１の端子に印加する電圧Ｖを制御し、
前記整流手段のインピーダンスは、前記電圧Ｖの大きさによって切り替わることを特徴とする付記１又は２に記載の電力受電装置。
（付記４）
前記制御手段は、前記電力Ｗの値が大きくなるに従い、前記電圧Ｖを大きくすることを特徴とする付記３記載の電力受電装置。
（付記５）
前記整合手段と前記三端子デバイスの反射係数が0.3以下であることを特徴とする付記３又は４に記載の電力受電装置。
（付記６）
無線で交流電力を送電する電力送電装置と、無線で送電される前記交流電力を受電する電力受電装置を備える電力伝送システムであって、
前記電力受電装置は、
無線で送電される前記交流電力を受電する受電手段と、受電した前記交流電力を直流電力に変換する整流手段と、前記受電手段の出力と前記整流手段の入力を整合する整合手段と、前記整流手段を制御する制御手段と、電力を測定する電力測定手段を備え、
前記整流手段のインピーダンスは可変であり、
前記制御手段が前記電力測定手段で測定した電力の値に基づき、前記整流手段のインピーダンスを制御し、
前記電力測定手段の測定点が前記受電手段と前記整流手段の間にある電力受電装置であること、
を特徴とする電力伝送システム。
（付記７）
付記６記載の電力伝送システムであって、前記整流手段が設定するインピーダンスが全て同一極性であることを特徴とする電力伝送システム。
（付記８）
付記６又は７に記載の電力伝送システムであって、
前記整流手段は、三端子デバイスを有し、
前記制御手段は、前記三端子デバイスに印加する電圧Ｖを決定することで、前記整流手段のインピーダンスを決定することを特徴とする電力伝送システム。
（付記９）
付記８記載の電力伝送システムであって、前記制御手段は、前記電力Ｗの値が大きくなるに従い、前記電圧Ｖを大きくすることを特徴とする電力伝送システム。
（付記１０）
コンピュータを電力受電装置の制御装置として機能させるためのプログラムであって、
前記電力受電装置は、無線で送電される交流電力を受電する受電手段と、受電した前記交流電力を直流電力に変換する整流手段と、前記受電手段の出力と前記整流手段の入力を整合する整合手段と、前記整流手段を制御する制御手段と、電力を測定する電力測定手段を備え、前記整流手段のインピーダンスが可変であり、前記電力測定手段の測定点が前記受電手段と前記整流手段の間にある電力受電装置であり、
前記コンピュータに、
前記電力測定手段で測定した電力Ｗの値を読み出す機能と、
前記電力Ｗの値に基づいて前記整流手段に設定するインピーダンスを決定する機能と、
を持たせるプログラム。
（付記１１）
付記１０記載のプログラムであって、前記整流手段に設定するインピーダンスは、全て同一極性であることを特徴とするプログラム。
（付記１２）
付記１０又は１１に記載のプログラムであって、
前記整流手段は三端子デバイスを有し、
前記コンピュータに持たせる前記整流手段のインピーダンスを決定する機能は、前記三端子デバイスに印加する電圧Ｖを決定することで、前記インピーダンスを決定することを特徴とするプログラム。
（付記１３）
付記１２記載のプログラムであって、前記コンピュータに持たせる前記整流手段のインピーダンスを決定する機能は、前記電力Ｗの値が大きくなるに従い、前記電圧Ｖを大きくすることを特徴とするプログラム。
（付記１４）
無線で送電される交流電力を受電する電力受電装置における電力受電方法であって、
前記電力受電装置は、無線で送電される前記交流電力を受電する受電手段と、受電した交流電力を直流電力に変換する整流手段と、前記受電手段の出力と前記整流手段の入力を整合する整合手段と、前記整流手段を制御する制御手段と、電力を測定する電力測定手段を備え、前記整流手段のインピーダンスが可変であり、前記電力測定手段の測定点が前記受電手段と前記整流手段の間にある電力受電装置であり、
当該電力受電方法は、
前記受電手段が交流電力を受電するステップと、
前記電力測定手段が電力を測定するステップと、
前記制御手段が前記電力測定手段で測定した電力Ｗの値を読み出すステップと、
前記制御手段が前記電力Ｗの値に基づいて前記整流手段に設定するインピーダンスを決定するステップと、
を有する電力受電方法。
（付記１５）
付記１４記載の電力受電方法であって、前記整流手段に設定するインピーダンスは、全て同一極性であることを特徴とする電力受電方法。
（付記１６）
付記１４又は１５に記載の電力受電方法であって、
前記整流手段は三端子デバイスを有し、
前記整流手段に設定するインピーダンスを決定するステップは、前記三端子デバイスに印加する電圧Ｖを決定することで前記インピーダンスを決定するステップであることを特徴とする電力受電方法。
（付記１７）
付記１６記載の電力受電方法であって、前記整流手段に設定するインピーダンスを決定するステップは、前記電力Ｗが大きくなるに従い、前記電圧Ｖを大きくするステップであることを特徴とする電力受電方法。
【図１】
2013160978.tif 000003
【図２】
2013160978.tif 000004
【図３】
2013160978.tif 000005
【図４】
2013160978.tif 000006
【図５】
2013160978.tif 000007
【図６】
2013160978.tif 000008
【図７】
2013160978.tif 000009
【図８】
2013160978.tif 000010
【国際調査報告】
2013160978.tif 000011
2013160978.tif 000012
2013160978.tif 000013
2013160978.tif 000014